(57)【特許請求の範囲】
【請求項１】
基体の後方に延出された連結部の後端にて上方に延出された上部係合片と下方に延出された挿入片と、前記基体の下部に後方に延出された下部係合片と、前記基体の上方に延出された上方延出片の後方に支承溝を成して上下に突出された上部係止片と下部係止片と、前記基体の下部から該基体の前面に沿って延出された挟持部と、前記挟持部の下方に延出された下端部に沿って前側上方に折返し形成された表示部とを有して成り、陳列棚の前端に設けられた鈎状の上端縁と下端縁とを有するフロントレールの場合はその上端縁と下端縁とに前記上部係合片と前記下部係合片とが係合された状態で取り付けられ、陳列棚の前端に縦溝を有するフロントレールの場合は前記縦溝に前記挿入片を挿着することにより取り付けられ、前記縦溝を有するフロントレールの縦溝に表示具の挿入片を挿着した状態において、該表示具の上部係合片を前記上端縁と下端縁とを有するフロントレールの上端縁に係合する高さに形成することによって、前記いずれのフロントレールであっても前記上方延出片の後方の支承溝が陳列棚の上面から略同一の高さに取り付けられることにより、前記陳列棚の上面に当てて滑らせながら取り付ける仕切板の前端に設けられた枢支部を前記支承溝に係合するようにしたことを特徴とする陳列棚用表示具。
【請求項２】
前記下部係止片の後端には下方に傾斜した案内片が設けられたことを特徴とする請求項１記載の陳列棚用表示具。
【請求項３】
前記仕切板の枢支部が前記表示具の支承溝に対して高さ方向に回動自在に係合されたことを特徴とする請求項１記載の陳列棚用表示具。
【請求項４】
前記仕切板の前端に沿って凸片が設けられ、該凸片に表示用アダプターに設けられた凹溝を嵌合するようにしたことを特徴とする請求項１記載の陳列用表示具。
【請求項５】
前記挟持部の下方の折返し部の裏側に凹溝が形成され、前記折返し部に沿って下方から嵌合された表示用のフック状アダプターの後側折返片の内面に設けられた突起が前記折返し部の裏側の凹溝に嵌合するようにしたことを特徴とする請求項１記載の陳列用表示具。
【発明の詳細な説明】
【０００１】
【発明の属する技術分野】
本発明は、商店等の陳列棚の前端に設けられたフロントレールに商品名や価格等を表示した商品カードを装着する陳列棚用表示具に関するものである。
【０００２】
【従来の技術】
従来から商店等には種々の商品を陳列するための陳列棚が設けられている。この陳列棚の前端にはフロントレールが設けられ、このフロントレールに商品名や価格等を表示した商品カードを装着するようにしている。
【０００３】
図１６に示すように、上記のフロントレール５１は、陳列棚５０の前端に傾斜状に固定された円弧形湾曲面５２を有し、その上端と下端の長手方向に沿って鈎状の上端縁５３ａと下端縁５３ｂとを有するものである。このフロントレール５１に商品カードＫを装着するには、フロントレール５１の湾曲面５２に沿って商品カードＫを曲げながらフロントレール５１の上端縁５３ａと下端縁５３ｂに係合して取り付けるものである。
【０００４】
ところが、商品カードＫの上下幅はフロントレール５１の湾曲面５２に沿う上端縁５３ａと下端縁５３ｂとの間の長さ（一点鎖線Ｌで示す長さ）に規制されるため、商品カードＫに表示される情報量が制限されるという欠点があった。
【０００５】
そこで、上記の欠点を解消するために、例えば、特公平７−１２５２９号公報に記載された表示具が開発されている。
【０００６】
この表示具は、図１３又は図１４に示すように、陳列棚５０の前端付近の上面に載置される係止部５４と、該係止部５４の上部より傾斜して下方へ延設された上下箇所に商品カードを係止するためのカード係止部５５ａ、５５ｂを設けて成る第１の表示部５６と、この第１の表示部５６の下方に延設された第２の表示部５８と、該第２の表示部５８の下端部をその裏面側に折曲してＵ字状に形成した下係合部５９ｂと、該下係合部５９ｂに回動自在に係合して上方を開閉自在にしたカード押え板６０と、第１の表示部５６と第２の表示部５８の背面に突設された下部係止腕６１、６２と上部係止腕６３、６４とを有してなるものである。
【０００７】
このような表示具において、下部係止腕６１、６２の夫々は下方に折曲された突起を有し、上部係止腕６３、６４の夫々は上方に折曲された突起を有し、陳列棚５０の前端に固定されたフロントレール５１の上端縁５３ａと下端縁５３ｂとの成す上下幅に応じて選択した下部係止腕６１、６２と上部係止腕６３、６４とを上記のフロントレール５１の上端縁５３ａと下端縁の内側に係止するようにしている。
【０００８】
即ち、図１３に示すように、フロントレール５１の上端縁５３ａが陳列棚５０の上面と同レベルに形成されている場合、下部係止腕６２と上部係止腕６４とをフロントレール５１の上端縁５３ａと下端縁５３ｂとに係止して固定する。
【０００９】
また、図１４に示すように、フロントレール５１の上端縁５３ａが陳列棚５０の上面よりも上方に突出して形成されている場合、下部係止腕６１と上部係止腕６３とをフロントレール５１の上端縁５３ａと下端縁５３ｂとに係止して固定する。
【００１０】
従って、図１３または図１４に示す表示具においては、陳列棚５０に予め固定されたフロントレール５１の上端縁５３ａと下端縁５３ｂとの成す上下幅に適合するものだけしか取り付けることができず、図１５に示すような陳列棚５０の前端に形成された縦溝６６に対しては上記の表示具を取りつけることができないという問題点があった。
【００１１】
図１５に示すような縦溝６６を有する陳列棚５０に取り付ける表示具としては、特開平１１−７３１０７号公報に記載されているものが開発されている。この表示具は、連結部材７０の上方に隙間８０をあけて隔壁６７と取付部本体６８とが形成され、取付部本体６８は後方に延出されると共に下方に湾曲して係合部６９を成し、この係合部６９が陳列棚５０の前端に形成された縦溝６６に係合され、連結部材７０は前方に延出して傾斜状のカード支持基板７１に連結され、このカード支持基板７１の下方は湾曲状に折返されたカード挟持板７２を成してカード支持基板７１の前面に沿って上方に延出された形状とされ、これらのカード支持基板７１とカード挟持板７２との間に商品カードを挟持することにより、カード挟持板７２の透明体から商品カードを透視し得るようにしたものである。
【００１２】
このような構成において、カード支持基板７１の上端に設けられた取付用縁７３にはポップカード等を支持する取付具７４のフック状係合部７５が掛止される一方、隔壁６７と取付部本体６８との隙間８０には仕切板７６の前端に設けられた垂下状の前側係合部７７を挿着するようにしている。この仕切板７６の後端には不図示の後側係合部が設けられ、この後側係合部が陳列棚５０の後端上部に設けられた不図示の振止用レールに係合されることにより取り付けられる。
【００１３】
ところが、この仕切板７６を上記のように取り付けるには、作業者が多数の仕切板７６を束状に持って歩き、所定位置にてその仕切板７６の一つを片手に持って仕切板７６の前側係合部７７を隔壁６７と取付部本体６８との隙間８０に係合すべく狙いを定めて挿入するという面倒な手間を必要とするものであり、多数の仕切板７６を迅速に取付ける作業の支障となるものであった。
【００１４】
【発明が解決しようとする課題】
本発明は、以上のような従来の問題点を解消するために成されたもので、陳列棚の前端に沿って固定されたフロントレールの上端縁と下端縁とを用いて表示具を取り付ける場合でも、フロントレールの背後に設けられた縦溝を用いて表示具を取り付ける場合でも、同一の表示具を取り付けることができ、しかもいずれの場合でも、陳列棚の上面に設ける仕切板を片手に持って表示具の取付位置に対して狙いをつけることなく迅速に取り付けることができるようにした陳列棚用表示具を提供することを目的とする。
【００１５】
【課題を解決するための手段】
上記の目的を達成するために、本発明における請求項１の陳列棚用表示具は、基体の後方に延出された連結部の後端にて上方に延出された上部係合片と下方に延出された挿入片と、前記基体の下部に後方に延出された下部係合片と、前記基体の上方に延出された上方延出片の後方に支承溝を成して上下に突出された上部係止片と下部係止片と、前記基体の下部から該基体の前面に沿って延出された挟持部と、前記挟持部の下方に延出された下端部に沿って前側上方に折返し形成された表示部とを有して成り、陳列棚の前端に設けられた鈎状の上端縁と下端縁とを有するフロントレールの場合はその上端縁と下端縁とに前記上部係合片と前記下部係合片とが係合された状態で取り付けられ、陳列棚の前端に縦溝を有するフロントレールの場合は前記縦溝に前記挿入片を挿着することにより取り付けられ、前記縦溝を有するフロントレールの縦溝に表示具の挿入片を挿着した状態において、該表示具の上部係合片を前記上端縁と下端縁とを有するフロントレールの上端縁に係合する高さに形成することによって、前記いずれのフロントレールであっても前記上方延出片の後方の支承溝が陳列棚の上面から略同一の高さに取り付けられることにより、前記陳列棚の上面に当てて滑らせながら取り付ける仕切板の前端に設けられた枢支部を前記支承溝に係合するようにしたことを特徴とする。
【００１６】
また、請求項２の陳列棚用表示具は、請求項１の発明において、前記下部係止片の後端には下方に傾斜した案内片が設けられたことを特徴とする。
【００１７】
また、請求項３の陳列棚用表示具は、請求項１の発明において、前記仕切板の枢支部が前記表示具の支承溝に対して高さ方向に回動自在に係合されたことを特徴とする。
【００１８】
また、請求項４の陳列棚用表示具は、請求項１の発明において、前記仕切板の前端に沿って凸片が設けられ、該凸片に表示用アダプターに設けられた凹溝を嵌合するようにしたことを特徴とする。
【００１９】
さらに、請求項５の陳列棚用表示具は、請求項１の発明において、前記挟持部の下方の折返し部の裏側に凹溝が形成され、前記折返し部に沿って下方から嵌合された表示用のフック状アダプターの後側折返片の内面に設けられた突起が前記折返し部の裏側の凹溝に嵌合するようにしたことを特徴とする。
【００２０】
【発明の実施の形態】
以下、本発明の実施例について図面を参照しながら説明する。
【００２１】
本発明による陳列棚用表示具１は、図３（図３は２点鎖線で示すフロントレールＲ１と点線で示すフロントレールＲ２とを同時に図示してある）に示すように、基体２の後方に延出された連結部３の後端にて上方に延出された上部係合片４と下方に延出された挿入片５と、基体２の下部に後方に延出された下部係合片６と、基体２の上方に延出された上方延出片７の後方に支承溝１０を成して上下に突出された上部係止片８と下部係止片９と、基体２の下部から該基体２の前面上方に延出された挟持部１２と、挟持部１２の下方に延出された下端部に沿って前側に湾曲状に折返し形成された表示部１３とを有して成るものである。
【００２２】
また、図３の２点鎖線で示すフロントレールＲ１は、陳列棚５０の上面から突出した形状を有し、鈎状の上端縁５３ａと下端縁５３ｂとの間は円弧状の湾曲面５２が形成され、下端縁５３ｂが上端縁５３ａよりも前方に突出した状態でやや後傾した状態に取り付けられている。
【００２３】
一方、図３の点線で示すフロントレールＲ２は、陳列棚５０の前端上部に縦溝６６を有し、このフロントレールＲ２の上部は前方に湾曲した形状を有すると共にその湾曲部１５の上面の高さが陳列棚５０の上面よりやや低い程度に、大旨は両者が同程度の高さに形成され、フロントレールＲ２の下部は前傾した形状にされている。
【００２４】
以下に、上記の陳列棚用表示具１を詳細に述べると、図１又は図２に示すように、表示具１は例えば合成樹脂等の押出し成形等によって形成され、陳列棚５０の前端に設けられたフロントレール５１の前面に沿って横方向に長い形状を有するもので、上記の各構成部である基体２と連結部３と上部係合片４と挿入片５と下部係合片６と上方延出片７と上部係止片８と下部係止片９との間の支承溝１０と挟持部１２と表示部１３は同様に横方向に長い形状を有するものである。
【００２５】
表示具１の端面形状を見ると、図３に示すように、表示具１の中心構造を成す基体２の板面の途中の後方には連結部３が延出され、基体２をやや後傾した状態において連結部３は略水平を成し、この連結部３の後端には上方に延出された上部係合片４と下方に延出された挿入片５とが設けられている。
【００２６】
このうち上部係合片４はフロントレールＲ１の鈎状の上端縁５３ａの内側に係合されるものであり、やや後傾した形状を有する。また、挿入片５は連結部３に対して略垂直下方に向けて形成されている。
【００２７】
また、表示具１の基体２の下部には後方にむけて傾斜した下部係合片６が延出され、この下部係合片６の後端がフロントレールＲ１の下端縁５３ｂの内側に係合されていることにより、基体２はフロントレールＲ１に対して後傾した状態に取り付けられるものである。
【００２８】
一方、フロントレールＲ２の後側に形成された縦溝６６に表示具１の挿入片５を挿着すると、表示具１の連結部３の下面がフロントレールＲ２の上方の湾曲部１５の上面に当接して係止され、この状態で表示具１の基体２の板面はやや後傾するように取り付けられるものである。
【００２９】
なお、挿入片５の側面には、図３においては２条の突起５ａ、５ａが設けられているため、挿入片５は縦溝６６に圧着され、これによって挿入片５を縦溝６６から抜けにくくしている。
【００３０】
ところで、図３に示すように、表示具１をフロントレールＲ１またはフロントレールＲ２のいずれに取り付けた場合でも、表示具１は略同一の高さに取り付けられる。これは、図３のフロントレールＲ２の縦溝６６に表示具１の挿入片５を挿着した状態において、表示具１の上部係合片４をフロントレールＲ１の上端縁５３ａに係合する高さに形成することによって得られるものである。その結果、表示具１をフロントレールＲ１、Ｒ２のいずれに取り付けた場合であっても、基体２の上方延出片７の後方に隙間をあけて上下位置に突出された上部係止片８と下部係止片９との間の成す支承溝１０の高さもまた略同一となる。
【００３１】
この支承溝１０は、陳列棚５０の上面に沿って載置される仕切板２０の枢支部２１を嵌合するためのものである。
【００３２】
即ち、仕切板２０は陳列棚５０の奥行き方向に立てた状態で載置するものであり、図１に示すように陳列棚５０の奥行きに対応した幅を有する。
【００３３】
この仕切板２０は、図８に示すように、その前方においては上縁と下縁が傾斜され、その前端のやや下部には前方に向けて断面円弧形の枢支部２１が設けられ、上部係止片８と下部係止片９との開口端部には互いに向き合った隆起部８ａ、９ａが形成されている。このような構成により、支承溝１０に挿着した仕切板２０の枢支部２１の抜け出しを防止すると共に、枢支部２１は表示具１の支承溝１０に挿着された状態でこの枢支部２１を中心に仕切板２０を回動することができる構成とされている。
【００３４】
また、枢支部２１は、図９(a) に示すように桁行方向にある程度の幅を成して、枢支部２１を表示具１の支承溝１０に嵌合した状態の仕切板２０にガタが生じないようにされている。
【００３５】
さらに、図３に示すように、表示具１の下部係止片９の後端には下方に傾斜した案内片９ｂが形成されている。このため、表示具１をフロントレールＲ１とフロントレールＲ２のいずれかに取り付けたことによって表示具１の支承溝１０の高さが異なることになった場合でも、表示具１の傾斜状況によって支承溝１０の位置にずれが生じた場合でも、仕切板２０を手に持って陳列棚５０の上面に沿って狙いをつけずに移動することによって仕切板２０の枢支部２１が案内片９ｂに案内されて上記の支承溝１０に挿着することが可能とされている。
【００３６】
なお、仕切板２０の板面の高さは、図１０の仕切板２０に示すように、図８に示すものよりも高く形成してもよい。いずれにしても、仕切板２０に設けられた枢支部２１の高さは一定であって、上記のように表示具１をフロントレールＲ１とフロントレールＲ２のいずれに取り付けた場合であっても、仕切板２０を片手に持って目視することなく陳列棚５０の上面に沿って移動するだけで、仕切板２０の枢支部２１を表示具１の支承溝１０に挿着することができる。
【００３７】
また、表示具１の支承溝１０の位置または高さに誤差が生じている場合、表示具１の支承溝１０に仕切板２０の枢支部２１を挿着したとき、この仕切板２０を支承溝１０の周りに回動することによって仕切板２０の後端を陳列棚５０の上面に当接することができ、上記の誤差を解消することができる。
【００３８】
また、図６に示すフロントレールＲ２において、作業者が仕切板２０を持ってその下縁を陳列棚５０の上面に沿って前方に滑らせた場合、仕切板２０の枢支部２１がフロントレールＲ２に取り付けられた表示具１の支承溝１０に嵌合されて図７に示す状態に固定される。
【００３９】
図９に示すように、仕切板２０の枢支部２１の上方には仕切板２０の前端に沿って凸片２２が設けられ、この凸片２２に表示用アダプター２５（図１１参照）に設けられた凹溝２６を挿入するようにしている。
【００４０】
この表示用アダプター２５は、図１１に示すように、上記のように仕切板２０の凸片２２を挿着する凹溝２６がベース板２７の端部に形成されると共に、表示用アダプター２５を仕切板２０の凸片２２に取り付けた状態でポップカードＫ等を高さ方向に挟持するようにした挟持板２８が設けられている。
【００４１】
ところで、表示具１は、上記の構成のほかに、図３に示すように、基体２の下部から該基体２の前面に沿って隙間１１を有して延出された挟持部１２が設けられ、挟持部１２の下方に延出された下端部に沿って前側上方に向けて折返し形成された表示部１３が設けられている。
【００４２】
また、表示具１の挟持部１２の下方の折返し部１２ａの後側には凹溝１２ｂが形成され、図１２(a) 乃至(d) に示す表示用のフック状アダプター３０がこの表示具１の折返し部１２ａに挿着される（図３参照）。即ち、表示具１の折返し部１２ａに沿って下方から嵌合された表示用のフック状アダプター３０の後側折返片３１の内面に設けられた突起３２が表示具１の折返し部１２ａの裏側の凹溝１２ｂに嵌合することによりフック状アダプター３０の脱落が防止された状態で取り付けられる。
【００４３】
このフック状アダプター３０は、図１２(a) 乃至(d) に示すように、側板３３の下方に上記の折返片３１が設けられ、側板３３には２枚の板状の挟持板３４、３５が隙間をあけて形成され、一側の挟持板３４の縦方向には開口３４ａ、３４ａが形成されると共に、これらの開口３４ａ、３４ａに向けて突出した突起３５ａ、３５ａが他側の挟持板３５に形成されている。このようなフック状アダプター３０の挟持板３４、３５の間にポップカードＫ等を挟持すると、突起３５ａ、３５ａによってポップカードＫが開口３４ａ、３４ａに向けて突出状に変形するためポップカードＫが確実に保持される。
【００４４】
さらに、表示具１の基体２と挟持部１２との隙間１１における互い違いの位置に内側に突出した突起片３５、３５を設けたことにより、図４等に示すようにこの隙間１１に表示用ケース３６の挿着片３７を挿嵌して、基体２と挟持部１２の内側の突起片３５、３５によって挟持するようにしている。
【００４５】
【発明の効果】
以上説明したように、本発明の陳列棚用表示具は、陳列棚の前端に設けられた上端縁と下端縁とを有するフロントレールに対してはその上端縁と下端縁とに上部係止片と下部係止片とが係合された状態で取り付けられ、陳列棚の前端に縦溝を有するフロントレールの縦溝には挿入片が挿着された状態で取り付けられ、いずれのフロントレールであっても上方延出片の後方の上部係止片と下部係止片との隙間が陳列棚の上面から略同一の高さを有して該隙間に陳列棚の上面に沿って取り付けられる仕切板の前端に設けられた枢支部を係止することができるようにされている。
【００４６】
従って、上記の２種のフロントレールに対応して１種の表示具で対応して取り付けることができ、作業者は仕切板を片手に持ってその下縁を陳列棚の上面に沿って前方に滑らせながら移動することにより、狙いをつけずに、仕切板の枢支部をフロントレールに取り付けた表示具の支承溝に挿着することができるため、多数の仕切板を取り付ける作業において、非常に迅速な取付け作業を遂行することが可能となる。
【図面の簡単な説明】
【図１】本発明の陳列用表示具を陳列棚のフロントレールに取り付けた状態を示す斜視図である。
【図２】図１の要部拡大図である。
【図３】本発明の陳列用表示具の端面図である。
【図４】本発明において陳列棚の上面に突出したフロントレールに陳列用表示具を取り付けると共に、この表示具に対して仕切板を装着しようとしている状態を示す側面図である。
【図５】図４の状態から表示具に対して仕切板を装着した状態を示す側面図である。
【図６】本発明において陳列棚に固定したフロントレールの後側の縦溝を用いて陳列用表示具を取り付けると共にこの表示具に対して仕切板を装着しようとしている状態を示す側面図である。
【図７】図６の状態から表示具に対して仕切板を装着した状態を示す側面図である。
【図８】本発明に用いる仕切板の側面図である。
【図９】(a) は本発明に用いる仕切板の枢支部周辺の前面図であり、(b) はその仕切板の枢支部周辺の上面図であり、(c) はその仕切板の枢支部周辺の側面図である。
【図１０】本発明に用いる他の仕切板の側面図である。
【図１１】(a) は本発明に用いる表示用アダプターの斜視図であり、(b) はその上面図であり、(c) はその側面図である。
【図１２】(a) は本発明に用いるフック状アダプターの斜視図であり、(b) はその横断面図であり、(c) はその側面図であり、(d) はその後面図である。
【図１３】従来の陳列用表示具をフロントレールに取り付けた状態を示す端面図である。
【図１４】従来の陳列用表示具をフロントレールに他の方法で取り付けた状態を示す端面図である。
【図１５】従来の陳列用表示具をフロントレールの後側の縦溝に挿着する方法で取り付けた状態を示す端面図である。
【図１６】従来から用いられているフロントレールを陳列棚に固定した状態を示す斜視図である。
【符号の説明】
Ｒ１…フロントレール
Ｒ２…フロントレール
Ｋ…ポップカード
１…陳列棚用表示具
２…基体
３…連結部
４…上部係合片
５…挿入片
６…下部係合片
７…上方延出片
８…上部係止片
９…下部係止片
９ａ…案内片
１０…支承溝
１１…隙間
１２…挟持部
１３…表示部
１５…湾曲部
２０…仕切板
２１…枢支部
２２…凸片
２５…表示用アダプター
２６…凹溝
２７…ベース板
２８…挟持板
３０…フック状アダプター
３６…表示用ケース
５０…陳列棚
５１…フロントレール
５３ａ…上端縁
５３ｂ…下端縁
５２…湾曲面
６６…縦溝
【図１】
0004392561.tif 000002
【図２】
0004392561.tif 000003
【図３】
0004392561.tif 000004
【図４】
0004392561.tif 000005
【図５】
0004392561.tif 000006
【図６】
0004392561.tif 000007
【図７】
0004392561.tif 000008
【図８】
0004392561.tif 000009
【図９】
0004392561.tif 000010
【図１０】
0004392561.tif 000011
【図１１】
0004392561.tif 000012
【図１２】
0004392561.tif 000013
【図１３】
0004392561.tif 000014
【図１４】
0004392561.tif 000015
【図１５】
0004392561.tif 000016
【図１６】
0004392561.tif 000017